(57)【要約】【課題】  エンドタブの重量の増加を抑えつつ，エンドタブの剛性をさらに強化することが可能なエンドタブを有する情報保存装置用アクチュエータのサスペンションを提供する。【解決手段】  本発明の情報保存装置用アクチュエータ１００のサスペンション１２０は，読出し／書込みヘッドを支持するためのサスペンション本体１２２と，サスペンション本体１２２から延設されたエンドタブ１２４と，を備える。ここで，エンドタブ１２４の少なくとも一つの寸法は，エンドタブ１２４の先端部からサスペンション本体１２２側に行くほど次第に大きくなる。【選択図】    図７
2005011511.tif 000002
【特許請求の範囲】
【請求項１】
情報保存装置用アクチュエータのサスペンションにおいて：
読出し／書込みヘッドを支持するためのサスペンション本体と；
前記サスペンション本体から延設されたエンドタブと；
を備え，
前記エンドタブの少なくとも一つの寸法は，前記エンドタブの先端部から前記サスペンション本体側に行くほど次第に大きくなることを特徴とする，情報保存装置用アクチュエータのサスペンション。
【請求項２】
前記エンドタブの少なくとも一つの寸法は，前記エンドタブの幅と前記エンドタブの高さのうち少なくともいずれか一方であることを特徴とする，請求項１に記載の情報保存装置用アクチュエータのサスペンション。
【請求項３】
前記エンドタブの少なくとも一つの寸法は，前記エンドタブの実質的な部分で大きくなることを特徴とする，請求項１に記載の情報保存装置用アクチュエータのサスペンション。
【請求項４】
前記エンドタブの少なくとも一つの寸法は，前記エンドタブの先端部から前記サスペンション本体側に行くほど前記エンドタブの全体にわたって大きくなることを特徴とする，請求項１に記載の情報保存装置用アクチュエータのサスペンション。
【請求項５】
前記エンドタブは，前記サスペンションのアンロード時に前記読出し／書込みヘッドをパーキングさせておくためのランプの支持面に接触することを特徴とする，請求項１に記載の情報保存装置用アクチュエータのサスペンション。
【請求項６】
前記エンドタブは，前記ランプの支持面側に凸状に突出して形成されることを特徴とする，請求項５に記載の情報保存装置用アクチュエータのサスペンション。
【請求項７】
前記エンドタブは，前記エンドタブの先端部から前記サスペンション本体までの長手方向の線に沿って前記支持面に接触することを特徴とする，請求項６に記載の情報保存装置用アクチュエータのサスペンション。
【請求項８】
前記エンドタブの幅は，前記エンドタブの先端部から前記サスペンション本体側に行くほど広くなり，前記エンドタブの高さは，一定であることを特徴とする，請求項１に記載の情報保存装置用アクチュエータのサスペンション。
【請求項９】
前記エンドタブの幅は，前記エンドタブの先端部から前記サスペンション本体側に行くほど広くなり，前記エンドタブは，円弧状の断面を有し，前記円弧の半径は，前記エンドタブの先端部から前記サスペンション本体側に行くほど長くなることを特徴とする，請求項１に記載の情報保存装置用アクチュエータのサスペンション。
【請求項１０】
前記エンドタブの高さは，前記エンドタブの先端部から前記サスペンション本体側に行くほど高くなることを特徴とする，請求項１に記載の情報保存装置用アクチュエータのサスペンション。
【請求項１１】
前記エンドタブは，前記サスペンション本体から前記エンドタブの先端部側に行くほど下側に傾斜していることを特徴とする，請求項１０に記載の情報保存装置用アクチュエータのサスペンション。
【請求項１２】
前記エンドタブは，円弧状の断面を有し，前記円弧の半径は，前記エンドタブの先端部から前記サスペンション本体側に行くほど長くなることを特徴とする，請求項１０に記載の情報保存装置用アクチュエータのサスペンション。
【請求項１３】
前記エンドタブは，円弧状の断面を有し，前記円弧の半径は，前記エンドタブの先端部から前記サスペンション本体側に行くまでの間で一定であることを特徴とする，請求項１０に記載の情報保存装置用アクチュエータのサスペンション。
【請求項１４】
データ保存用ディスクと；
サスペンションを有するアクチュエータと；
を備え，
前記サスペンションは，
読出し／書込みヘッドを支持するためのサスペンション本体と；
前記サスペンション本体から延設されたエンドタブと；
を含み，
前記エンドタブの少なくとも一つの寸法は，前記エンドタブの先端部から前記サスペンション本体側に行くほど次第に大きくなることを特徴とする，情報保存装置。
【請求項１５】
前記少なくとも一つの寸法は，前記エンドタブの幅と前記エンドタブの高さのうち少なくともいずれか一方であることを特徴とする，請求項１４に記載の情報保存装置。
【請求項１６】
前記サスペンションのアンロード時に前記読出し／書込みヘッドをパーキングさせておくためのランプであって，前記サスペンションのアンロード時に前記エンドタブが接触する支持面を有するランプを備えたヘッドパーキングシステムをさらに備えることを特徴とする，請求項１４に記載の情報保存装置。
【請求項１７】
前記エンドタブは，前記ランプの支持面側に凸状に突出して形成されることを特徴とする，請求項１６に記載の情報保存装置。
【請求項１８】
前記エンドタブの幅は，前記エンドタブの先端部から前記サスペンション本体側に行くほど広くなり，前記エンドタブの高さは，一定であることを特徴とする，請求項１４に記載の情報保存装置。
【請求項１９】
前記エンドタブの幅は，前記エンドタブの先端部から前記サスペンション本体側に行くほど広くなり，前記エンドタブは，円弧状の断面を有し，前記円弧の半径は，前記エンドタブの先端部から前記サスペンション本体側に行くほど長くなることを特徴とする，請求項１４に記載の情報保存装置。
【請求項２０】
前記エンドタブの高さは，前記エンドタブの先端部から前記サスペンション本体側に行くほど高くなることを特徴とする，請求項１４に記載の情報保存装置。
【発明の詳細な説明】
【技術分野】
【０００１】
本発明は，ロード／アンロード方式の情報保存装置用アクチュエータのサスペンションおよび情報保存装置に係り，さらに詳細には，剛性がさらに強化されたエンドタブを有する情報保存装置用アクチュエータのサスペンションおよび情報保存装置に関する。
【背景技術】
【０００２】
コンピュータの情報保存装置の一つであるハードディスクドライブ（ＨＤＤ：Ｈａｒｄ  Ｄｉｓｋ  Ｄｒｉｖｅ）は，読出し／書込みヘッドを使用して，ディスクに保存されたデータの再生およびディスクへのデータの記録を行う装置である。このようなＨＤＤにおいて，ヘッドは，回転するディスクの記録面から所定の高さに浮き上がった状態でアクチュエータによって所望の位置に移動して，データの再生および記録を行う。
【０００３】
一方，ＨＤＤが起動していない時，すなわちディスクの回転が停止している時には，ヘッドがディスクの記録面に接触しないように，ヘッドをディスクの記録面上以外の位置にパーキングさせる。このようなヘッドパーキングシステムとしては，大きくＣＳＳ（Ｃｏｎｔａｃｔ  Ｓｔａｒｔ  Ｓｔｏｐ）方式とロード／アンロード方式とに分けられる。ＣＳＳ方式は，ディスク面上の内周側にデータが記録されていないＣＳＳ（Ｃｏｎｔａｃｔ  Ｓｔａｒｔ  Ｓｔｏｐ）ゾーンと呼ばれるパーキングゾーンを設け，そのパーキングゾーンにヘッドを接触させてパーキングさせる方式である。一方，ロード／アンロード方式は，ディスクの外郭側にランプ（ｒａｍｐ）と呼ばれる傾斜部分を設置し，このランプ上にヘッドをパーキングさせる方式である。
【０００４】
ＣＳＳ方式のヘッドパーキングシステムによれば，ディスク面上にパーキングゾーンを設ける必要があるため，データの保存領域が狭くなるという短所がある。したがって，次第に高いデータ記録密度を有するＨＤＤが要求される傾向が強まり，最近では，このような傾向に対応して，ディスク面上にパーキングゾーンを設ける必要がなく，さらに広いデータの保存領域を確保することができるロード／アンロード方式のヘッドパーキングシステムが広く採用されている。
【０００５】
図１は，従来のロード／アンロード方式のヘッドパーキングシステムが採用されたＨＤＤを概略的に示す平面図であり，図２は，図１に示されたランプと従来のディンプル形状のエンドタブを有するサスペンションとを示す斜視図であり，図３は，図２に示されたサスペンションとエンドタブとの長手方向の垂直断面図である。
【０００６】
図１〜図３を参照すると，ＨＤＤには，ベースプレート１０上に設置されたスピンドルモータ１２と，スピンドルモータ１２に設置された１または２以上のディスク２０と，データの再生および記録のための読出し／書込みヘッド３５が搭載されたスライダ３４をディスク２０上の所定の位置に移動させるためのアクチュエータ３０と，が備わっている。アクチュエータ３０は，ベースプレート１０に設置されたアクチュエータピボット３１に回動可能に結合されたスイングアーム３２と，スイングアーム３２の一側端部に設置されてスライダ３４をディスク２０の表面側へ付勢されるように支持するサスペンション３３と，スイングアーム３２を回動させるためのボイスコイルモータ（ＶＣＭ：Ｖｏｉｃｅ  Ｃｏｉｌ  Ｍｏｔｏｒ）と，を有する。ＶＣＭは，スイングアーム３２の他側端部に結合されるＶＣＭコイル３９と，ＶＣＭコイル３９の下部に設置される下部ヨーク３７と，下部ヨーク３７の上面に付着されたマグネット３８と，を備える。さらに，ＶＣＭは，ＶＣＭコイル３９の上部に設置される上部ヨーク（図示せず）と，上部ヨークの底面に付着されるマグネット（図示せず）とを備えうる。
【０００７】
上述した構成を有するＶＣＭは，サーボ制御システムによって制御され，ＶＣＭコイル３９に入力される電流とマグネット３８とによって形成された磁場の相互作用によってフレミングの左手の法則に即した方向にスイングアーム３２を回動させる。すなわち，ＨＤＤの電源がオンになってディスク２０が矢印Ｄ方向に回転し始めれば，ＶＣＭは，スイングアーム３２を反時計方向（矢印Ａ方向）に回動させて読出し／書込みヘッド３５が搭載されたスライダ３４をディスク２０の記録面上に移動させる。スライダ３４は，回転するディスク２０によって発生する揚力によってディスク２０の表面から所定の高さに浮き上がり，このような状態で，スライダ３４に搭載されたヘッド３５は，ディスク２０の記録面に対してデータの再生または記録を行う。
【０００８】
一方，ＨＤＤの電源がオフになってＨＤＤの動作が停止した時，すなわちディスク２０の回転が停止した時には，ＶＣＭは，ヘッド３５がディスク２０の記録面に接触しないように，ヘッド３５をディスク２０の記録面上以外の位置にパーキングさせる。このために，ディスク２０の外郭側には，ランプ４０が設置されており，サスペンション３３の端部にはエンドタブ３６が延設されている。そして，ヘッド３５がランプ４０にパーキングされた状態で，アクチュエータ３０は，外部の衝撃によって任意に回動しないようにアクチュエータラッチ５０によってロックされる。
【０００９】
ランプ４０は，ベースプレート１０に固設される固定部４１と，固定部４１からディスク２０側に延設されてディスク２０の外側の端部とオーバーラップされ，エンドタブ３６を支持する支持面４３を有する支持部４２と，から構成される。支持面４３のディスク２０側の端部はディスク２０側に行く程低くなるように傾斜した形状に形成されて，エンドタブ３６のロードとアンロードとが円滑になされるようにしている。
【００１０】
ＨＤＤの電源がオフとなってディスク２０の回転が停止すれば，ＶＣＭは，スイングアーム３２を時計方向（矢印Ｂ方向）に回動させ，これにより，エンドタブ３６は，ディスク２０からランプ４０の支持面４３上にアンロードされる。一方，ＨＤＤの電源がオンとなってディスク２０が回転し始めれば，上述したようなスイングアーム３２の回動によって，エンドタブ３６は，ランプ４０の支持面４３からディスク２０上にロードされる。
【００１１】
このようなロード／アンロード方式のヘッドパーキングシステムにおいて，エンドタブ３６は，ランプ４０の支持面４３と頻繁に接触し，摩擦を起こす。したがって，従来のエンドタブ３６は，図３に示したように，ランプ４０の支持面４３との接触面積が小さくなるように，支持面４３側に凸状に突出した半球形状，すなわちディンプル状になっている。
【００１２】
しかし，エンドタブ３６がディスク２０からランプ４０の支持面４３上にアンロードされる時，相当な荷重がエンドタブ３６に加えられる。この時，エンドタブ３６の剛性が弱い場合には，図２に表示されたＰ部分が折れる現象が発生する。このような現象が発生すれば，サスペンション３３に設置されたスライダ３４がディスク２０の表面からなかなか分離されないためアンロード時間が長くなり，これによりＨＤＤの性能が低下するという問題が発生する。また，このような現象が長期間反復的に発生すれば，疲労現象によってエンドタブ３６が破損するという問題も発生しうる。
【００１３】
上記のような問題の発生を防止するためには，エンドタブの剛性を高めることが望ましい。このために，エンドタブのサイズを大きくし，厚みを厚くするという方法があるが，この場合，エンドタブの重量が増加するためアクチュエータの駆動性能を低下させることとなる。したがって，比較的サイズが小さく軽量であるとともに高い剛性を有するエンドタブが必要となる。
【００１４】
図４〜図６には，上記問題の発生を防止するために提案された従来のカヌー状のエンドタブを有するサスペンションが示されている（例えば，特許文献１参照）。
【００１５】
図４〜図６を参照すると，サスペンション６１の先端部にサスペンション６１の長手方向に延設されたエンドタブ６２が設けられている。エンドタブ６２は，幅（サスペンション６１の短手方向の長さ）が一定のカヌー状に形成されている。そして，エンドタブ６２のランプの支持面に接触する面６３は，曲面状に形成されてランプの支持面との接触面積が小さくなるように形成されている。このようなカヌー状のエンドタブ６２は，上述したディンプル状のエンドタブ３６に比べて高い剛性を有するので，例えば，１枚当り４０ＧＢのデータ保存容量を有する直径２．５インチのディスクにも使用することができるという長所がある。
【００１６】
【特許文献１】米国特許第６，１８１，５２９号明細書
【発明の開示】
【発明が解決しようとする課題】
【００１７】
しかしながら，次第に高いデータ記録密度が要求されてくるにつれて，最近では，ディスクのデータ記録面を広げるためにランプの支持部とディスクとの間のオーバーラップ幅が次第に狭くなる傾向にある。特に，例えば，２．５インチと比較的短径のノート型パソコン用ＨＤＤのディスクにおいては，ランプの支持部とディスク間のオーバーラップ幅をさらに狭くする必要がある。これにより，エンドタブのロードとアンロードとがさらに速かになされる必要があるため，エンドタブはさらに高い荷重に耐えられるものである必要があるという問題があった。
【００１８】
また，従来の幅が一定のカヌー状のエンドタブでも，例えば４０ＧＢより大きいデータ保存容量を有するディスクに使用するにはその剛性が十分ではないという問題があった。そのため，さらに大きいデータ保存容量を有するディスクに使用することができる，さらに高い剛性を有するエンドタブの開発も要望されていた。
【００１９】
そこで，本発明は，このような問題に鑑みてなされたもので，その目的は，エンドタブの重量の増加を抑えつつ，エンドタブの剛性を幅が一定のカヌー状のエンドタブよりもさらに強化することが可能な新規かつ改良された情報保存装置用アクチュエータのサスペンションおよび情報保存装置を提供することにある。
【課題を解決するための手段】
【００２０】
上記課題を解決するために，本発明のある観点によれば，情報保存装置用アクチュエータのサスペンションにおいて，読出し／書込みヘッドを支持するためのサスペンション本体と，サスペンション本体から延設されたエンドタブと，を備え，エンドタブの少なくとも一つの寸法は，エンドタブの先端部からサスペンション本体側に行くほど次第に大きくなることを特徴とする情報保存装置用アクチュエータのサスペンションが提供される。
【００２１】
ここで，上記少なくとも一つの寸法とは，エンドタブの幅とエンドタブの高さのうち少なくともいずれか一方を意味する。
【００２２】
また，エンドタブの少なくとも一つの寸法は，エンドタブの実質的な部分で大きくなっていてもよい。「実質的な部分」とは，エンドタブがその機能を遂行する部分，すなわち，エンドタブがランプの支持面と接触する部分とサスペンション本体に連結する部分を意味する。したがって，エンドタブの「実質的な部分」は，エンドタブの長さ方向の大部分に類似するといえる。
【００２３】
また，エンドタブの少なくとも一つの寸法は，エンドタブの先端部からサスペンション本体側に行くほどエンドタブの全体にわたって大きくなるようにしてもよい。すなわち，エンドタブの寸法は，エンドタブの長さ方向の一部分に対してだけ大きくなるようにすることもできるが，エンドタブの長さ方向全体にわたり大きくなるようにすることが望ましい。
【００２４】
エンドタブは，サスペンションのアンロード時に読出し／書込みヘッドをパーキングさせておくためのランプの支持面に接触しうる。また，エンドタブは，ランプの支持面側に凸状に突出して形成されていてもよい。さらに，エンドタブは，エンドタブの先端部からサスペンション本体までの長手方向の線に沿って支持面に接触しうる。
【００２５】
また，エンドタブの幅は，エンドタブの先端部からサスペンション本体側に行くほど広くなり，エンドタブの高さは，一定に維持されていてもよい。
【００２６】
エンドタブの幅は，エンドタブの先端部からサスペンション本体側に行くほど広くなっていてもよい。この場合に，エンドタブは，円弧状の断面を有し，その円弧の半径は，エンドタブの先端部からサスペンション本体側に行くほど長くなっていてもよい。
【００２７】
エンドタブの高さは，エンドタブの先端部からサスペンション本体側に行くほど高くなりうる。例えば，エンドタブは，サスペンション本体からエンドタブの先端部側に行くほど下側に傾斜して形成されうる。このような場合において，エンドタブは，略円弧状の断面を有し，その円弧の半径は，エンドタブの先端部からサスペンション本体側に行くほど長くなっていてもよく，一定に維持されていてもよい。
【００２８】
また，上記課題を解決するために，本発明の別の観点によれば，データ保存用ディスクと，サスペンションを有するアクチュエータと，を備え，サスペンションは，読出し／書込みヘッドを支持するためのサスペンション本体と，サスペンション本体から延設されたエンドタブと，を含み，エンドタブの少なくとも一つの寸法は，エンドタブの先端部からサスペンション本体側に行くほど次第に大きくなることを特徴とする情報保存装置が提供される。
【００２９】
ここで，上記少なくとも一つの寸法とは，エンドタブの幅とエンドタブの高さのうち少なくともいずれか一方を意味する。
【００３０】
また，上記情報保存装置は，サスペンションのアンロード時に読出し／書込みヘッドをパーキングさせておくためのランプであって，サスペンションのアンロード時にエンドタブが接触する支持面を有するランプを備えたヘッドパーキングシステムをさらに備えていてもよい。この場合に，エンドタブは，ランプの支持面側に凸状に突出して形成されていてもよい。
【００３１】
また，エンドタブの幅は，エンドタブの先端部からサスペンション本体側に行くほど広くなっていてもよく，エンドタブの高さは，一定に維持されていてもよく，エンドタブの先端部からサスペンション本体側に行くほど高くなっていてもよい。
【００３２】
また，エンドタブの幅は，エンドタブの先端部からサスペンション本体側に行くほど広くなっている場合に，エンドタブは，円弧状の断面を有し，その円弧の半径は，エンドタブの先端部からサスペンション本体側に行くほど長くなっていてもよい。
【００３３】
このような構成によれば，エンドタブの少なくとも一つの寸法がサスペンション本体側からエンドタブの先端部に行くほど小さくなり，その寸法が一定の場合よりもエンドタブの形成に使用するステンレス等の材料が少なくてすむので，エンドタブの重量は最小限に抑えられる。また，エンドタブとサスペンション本体の連結部分の幅が大きくなるようになるので，エンドタブより大きい荷重が作用してもエンドタブとサスペンション本体の連結部分が従来のように簡単に折れなくなる。したがって，エンドタブの剛性は強化される。
【発明の効果】
【００３４】
本発明の情報保存装置用アクチュエータのサスペンションおよび情報保存装置によれば，エンドタブが端部からサスペンション本体側に行くほど次第にその幅が広くなる形状に形成されることによって，エンドタブの重量の増加を最小限に抑えつつ剛性をさらに高めることができる。具体的には，本発明の情報保存装置用アクチュエータのサスペンションによれば，エンドタブの剛性を，例えば４０ＧＢ以上のデータ保存容量を有するディスクに使用することができる程度に十分に高めることができる。
【００３５】
したがって，本発明によれば，エンドタブの寿命が長くなり，エンドタブのロードとアンロードとが速かに行われるため，情報保存装置の性能を向上させることが可能な情報保存装置用アクチュエータのサスペンションおよび情報保存装置を提供することができる。
【発明を実施するための最良の形態】
【００３６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３７】
図７は，本発明の第１の実施形態によるエンドタブを有するアクチュエータのサスペンションを示す斜視図である。
【００３８】
図７を参照すると，本発明の第１の実施形態によるエンドタブ１２４を有するサスペンション１２０は，ロード／アンロード方式のヘッドパーキングシステムを有するＨＤＤのような情報保存装置に適用されうる。上述したように，ロード／アンロード方式のハードディスクドライブでは，ディスク２０の外郭側にランプ４０が設置され，ディスクドライブの起動停止時に，アクチュエータ１００のサスペンション１２０の端部に延設されたエンドタブ１２４が，ランプ４０の支持部４２の支持面４３上にパーキングされる。
【００３９】
本実施形態によるアクチュエータ１００のサスペンション１２０は，読出し／書込みヘッド（図示せず）が搭載されたスライダ１３０を支持するものであって，サスペンション本体１２２とエンドタブ１２４とを備える。
【００４０】
サスペンション本体１２２は，ステンレス板のような金属板で製造され，ＨＤＤのベースプレートに回動可能に設置されたスイングアーム１１０の端部に設置される。サスペンション本体１２２のディスク対向面には読出し／書込みヘッド（図示せず）を有するスライダ１３０が設置される。
【００４１】
エンドタブ１２４は，サスペンション本体１２２の端部から延設される。特に，エンドタブ１２４は，その先端部からサスペンション本体１２２側に行くほど次第にその幅が広くなる形状を有する。そして，エンドタブ１２４は，その長手方向全体にわたってランプ４０の支持面４３側に凸状に突出して形成される。すなわち，エンドタブ１２４は，サスペンション本体１２２からその先端部側に行くほど次第に幅が狭くなるカヌー状に形成される。また，エンドタブ１２４の幅は，エンドタブ１２４の実質的な部分で大きくなっていてもよい。ここで，「実質的な部分」とは，エンドタブ１２４がその機能を遂行する部分，すなわち，エンドタブ１２４がランプ４０の支持面４３と接触する部分とサスペンション本体１２２に連結する部分を意味する。したがって，エンドタブ１２２の「実質的な部分」は，エンドタブ１２４の長さ方向の大部分に類似するといえる。さらに，エンドタブ１２４の幅は，エンドタブ１２４の先端部からサスペンション本体１２２側に行くほどエンドタブ１２４の全体にわたって大きくなるようにしてもよい。すなわち，エンドタブ１２４の幅は，エンドタブ１２４の長さ方向の一部分に対してだけ大きくなるようにすることもできるが，エンドタブ１２４の長さ方向全体にわたり大きくなるようにすることが望ましい。
【００４２】
図８は，図７に示されたサスペンション１２０のエンドタブ１２４を拡大して示す斜視図であり，図９は，図８に表示されたＸ−Ｘ’線に沿うサスペンション本体１２２およびエンドタブ１２４の長手方向の垂直断面図であり，図１０は，図８に表示されたＹ１−Ｙ１’，Ｙ２−Ｙ２’およびＹ３−Ｙ３’線に沿うエンドタブ１２４の幅（短手）方向の垂直断面図である。
【００４３】
図８〜図１０を参照すると，エンドタブ１２４は，その長手方向全体にわたってその高さＨを一定に維持しつつランプ４０の支持面４３側に凸状に突出して形成される。したがって，ランプ４０の支持面４３に接触するエンドタブ１２４の凸面１２５は，支持面４３と線接触するため，エンドタブ１２４と支持面４３との接触面積が最小化されている。
【００４４】
エンドタブ１２４の幅方向の断面は略円弧状になっており，その円弧の半径は，エンドタブ１２４の先端部からサスペンション本体１２２側に行くほど次第に大きくなっている。ただし，エンドタブ１２４の高さＨは，上記のように一定に維持される。
【００４５】
上記のように，本実施形態によるサスペンション１２０のエンドタブ１２４は，その先端部からサスペンション本体１２２側に行くほど次第にその幅が広くなり，その長手方向全体にわたってランプ４０の支持面４３側に凸状に突出して形成されることによって，その重量の増加を最小限に抑えつつその剛性をさらに高めることができる。すなわち，本実施形態によれば，エンドタブ１２４とサスペンション本体１２２との連結部分の幅が大きくなるようになるので，エンドタブ１２４より大きい荷重が作用してもエンドタブ１２４とサスペンション本体１２２の連結部分が簡単に折れなくなる。したがって，エンドタブ１２４は，アクチュエータ１００の駆動性能を阻害することなく，例えば，約４０ＧＢ以上の大きいデータ保存容量を有するディスクに使用することができる程度に十分に高い剛性を有しうる。このことにより，エンドタブ１２４の寿命が長くなり，エンドタブ１２４のロードとアンロードとが速かに行われるため，ＨＤＤの性能を向上させることができる。
【００４６】
図１１は，本発明の第２の実施形態によるエンドタブを有するアクチュエータのサスペンションを示す斜視図であり，図１２は，図１１に表示されたＸ−Ｘ’線に沿うサスペンション本体およびエンドタブの長手方向の垂直断面図であり，図１３は，図１１に表示されたＹ１−Ｙ１’，Ｙ２−Ｙ２’およびＹ３−Ｙ３’線に沿うエンドタブの幅方向の垂直断面図である。
【００４７】
図１１〜図１３を参照すると，本発明の第２の実施形態によるアクチュエータのサスペンション２２０は，サスペンション本体２２２とサスペンション本体２２２の端部から延設されたエンドタブ２２４とを有する。エンドタブ２２４は，上述した第１の実施形態のようにその先端部からサスペンション本体２２２側に行くほど次第にその幅が広くなる形状を有し，その長手方向全体にわたってランプ４０の支持面４３側に凸状に突出して形成される。したがって，ランプ４０の支持面４３に接触するエンドタブ２２４の凸面２２５は，支持面４３と線接触するため，エンドタブ２２４と支持面４３との接触面積が最小化されている。
【００４８】
また，エンドタブ２２４は，その先端部からサスペンション本体２２２側に行くほどその高さが次第に高くなるように形成される。すなわち，サスペンション本体２２２に隣接した部位のエンドタブ２２４の高さＨ１がエンドタブ２２４の先端部の高さＨ２より高く形成される。したがって，図１２に示したように，エンドタブ２２４は，サスペンション本体２２２の端部からランプ４０の支持面４３側に少し曲げられる。すなわち，エンドタブ２２４の上面がサスペンション本体２２２の上面に対してランプ４０の支持面４３側に傾斜するように曲げられる。
【００４９】
エンドタブ２２４の幅方向の断面は略円弧状になっており，その円弧の半径は，エンドタブ２２４の先端部からサスペンション本体２２２側に行くほど次第に大きくなっている。この時，円弧は，図１３に示したように，略同心円状に配置されて，エンドタブの高さは，第１の実施形態の場合とは異なり，エンドタブ２２４の先端部からサスペンション本体２２２側に行くほど高くなる。すなわち，最もサスペンション本体２２２側（図１３のＹ３−Ｙ３’）の高さＨ１は，最もエンドタブ２２４の先端部側（図１３のＹ１−Ｙ１’）の高さＨ２よりも高く，その中間（図１３のＹ２−Ｙ２’）の高さ（図示せず）は，Ｈ１より低くＨ２より高い。
【００５０】
図１４は，図１１に示されたエンドタブの変形例を示す幅方向の垂直断面図であり，図１５は，図１４に示されたエンドタブの形状を説明するための参考図である。
【００５１】
図１２および図１４を参照すると，エンドタブ２２４’は，その先端部からサスペンション本体２２２側に行くほど高さが次第に高まるように形成される。そして，エンドタブ２２４’の幅方向の断面は略円弧状よりなり，その円弧の半径は，エンドタブ２２４’の先端部からサスペンション本体２２２側に行っても同一に維持されうる。
【００５２】
このようなエンドタブ２２４’は，図１５に示したように，一定の厚みおよび半径を有する円筒２２６を図１５に示された切断面２２７に沿って，その長手方向に斜めに切断したような形状を有する。言い換えると，円筒２２６を斜めに切断すれば，円筒２２６の切断されて残った部分は，一端部から他端部に行くほどその高さは低くなり，幅も狭くなるが，円弧の半径（円筒２２６の半径）は一定に維持されることになる。
【００５３】
このような本発明の第２の実施形態によるサスペンション２２０のエンドタブ２２４，２２４’も上述した第１の実施形態と同様の長所，すなわち，その重量の増加を最小限に抑えつつその剛性をさらに高めることができるという長所を有する。特に，エンドタブ２２４，２２４’は，その先端部からサスペンション本体２２２側に行くほどその高さも次第に高まる形状を有するので，上述した第１の実施形態よりもさらに重量は軽くなり，剛性はさらに高まりうる。すなわち，第２の実施形態の変形例の場合には，エンドタブ２２４’とサスペンション本体部２２２との連結部分の幅が大きくなるだけでなく，高さも高くなるため，エンドタブ２２４の剛性より一層大きくなる。
【００５４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５５】
本発明は，ロード／アンロード方式の情報保存装置用アクチュエータおよび情報保存装置に利用可能であり，特に，剛性がさらに強化されたエンドタブを有する情報保存装置用アクチュエータのサスペンションおよび情報保存装置に利用可能である。
【図面の簡単な説明】
【００５６】
【図１】従来のロード／アンロード方式のヘッドパーキングシステムが採用されたＨＤＤを概略的に示す平面図である。
【図２】図１に示されたランプおよび従来のディンプル状のエンドタブを有するサスペンションを示す斜視図である。
【図３】図２に示されたサスペンションおよびエンドタブの長手方向の垂直断面図である。
【図４】従来のカヌー状のエンドタブを有するサスペンションを示す斜視図である。
【図５】図４に示されたサスペンションおよびエンドタブの長手方向の垂直断面図である。
【図６】図４に示されたエンドタブの幅方向の垂直断面図である。
【図７】本発明の第１の実施形態によるエンドタブを有するアクチュエータのサスペンションを示す斜視図である。
【図８】図７に示されたサスペンションのエンドタブを拡大して示す斜視図である。
【図９】図８に表示されたＸ−Ｘ’線に沿うサスペンション本体およびエンドタブの長手方向の垂直断面図である。
【図１０】図８に表示されたＹ１−Ｙ１’，Ｙ２−Ｙ２’およびＹ３−Ｙ３’線に沿うエンドタブの幅方向の垂直断面図である。
【図１１】本発明の第２の実施形態によるエンドタブを有するアクチュエータのサスペンションを示す斜視図である。
【図１２】図１１に表示されたＸ−Ｘ’線に沿うサスペンション本体およびエンドタブの長手方向の垂直断面図である。
【図１３】図１１に表示されたＹ１−Ｙ１’，Ｙ２−Ｙ２’およびＹ３−Ｙ３’線に沿うエンドタブの幅方向の垂直断面図である。
【図１４】図１１に示されたエンドタブの変形例を示す幅方向の垂直断面図である。
【図１５】図１４に示されたエンドタブ状を説明するための参考図である。
【符号の説明】
【００５７】
２０      ディスク
４０      ランプ
４１      固定部
４２      支持部
４３      支持面
１００      アクチュエータ
１１０      スイングアーム
１２０      サスペンション
１２２      サスペンション本体
１２４      エンドタブ
１３０      スライダ
【図１】
2005011511.tif 000003
【図２】
2005011511.tif 000004
【図３】
2005011511.tif 000005
【図４】
2005011511.tif 000006
【図５】
2005011511.tif 000007
【図６】
2005011511.tif 000008
【図７】
2005011511.tif 000009
【図８】
2005011511.tif 000010
【図９】
2005011511.tif 000011
【図１０】
2005011511.tif 000012
【図１１】
2005011511.tif 000013
【図１２】
2005011511.tif 000014
【図１３】
2005011511.tif 000015
【図１４】
2005011511.tif 000016
【図１５】
2005011511.tif 000017